(57)【要約】      （修正有）【課題】開封時に屈曲スリットを接続する弱化部や、蓋部及びＴＥバンドを接続する破断可能なスリットの破断が良好であると共に開封前に該弱化部や該スリットの破断することを防止可能な合成樹脂製キャップを提供する。【解決手段】蓋部２と、屈曲スリット３０を有するタンバーエビデントバンド３とを備え、該蓋部２と該タンバーエビデントバンド３とがワイドブリッジ４により連結された合成樹脂製キャップ１において、該屈曲スリット３０を、その蓋部２側端に連続する閉方向側屈曲部とその両縁間に延びる弱化部３２とを有すると共にその少なくとも一端を開放端とし、該ワイドブリッジ４を、括れ部４０を有すると共に該閉方向側屈曲部上方に形成する。【選択図】図１
2015051784.tif 000002
【特許請求の範囲】
【請求項１】
蓋部と、屈曲スリットを有するタンバーエビデントバンドとを備え、該蓋部と該タンバーエビデントバンドとがワイドブリッジにより連結された合成樹脂製キャップであって、
該屈曲スリットは、その蓋部側端に連続する閉方向側屈曲部とその両縁間に延びる弱化部とを有すると共にその少なくとも一端が開放端となっており、
該ワイドブリッジは、括れ部を有すると共に該閉方向側屈曲部上方に形成されていることを特徴とする合成樹脂製キャップ。
【請求項２】
前記合成樹脂製キャップは、前記ワイドブリッジの破断防止部を更に備えており、
該破断防止部は、前記蓋部と連続する係合凸起と、前記タンバーエビデントバンドと連続する係止凸起とを有することを特徴とする請求項１に記載の合成樹脂製キャップ。
【請求項３】
前記括れ部は、前記ワイドブリッジの中央部に形成されていることを特徴とする請求項１又は２に記載の合成樹脂製キャップ。
【請求項４】
前記括れ部は、その外面が内に凸の弧面であることを特徴とする請求項３に記載の合成樹脂製キャップ。
【発明の詳細な説明】
【技術分野】
【０００１】
本発明は、合成樹脂製キャップに関し、より詳細には、蓋部とタンバーエビデントバンドを備える合成樹脂製キャップに関する。
【背景技術】
【０００２】
従来、弱化部を介して部分的に接続された屈曲スリットを有するタンバーエビデントバンド（以下、ＴＥバンドともいう）を備え、蓋部とＴＥバンドが開封時に破断不能のブリッジと破断可能なブリッジとで接続されている合成樹脂製キャップがある（例えば、特許文献１を参照）。
【０００３】
この様な合成樹脂製キャップは、開封時に前記破断可能なブリッジ及び屈曲スリットを接続する弱化部を破断することによって、スリット部分でＴＥバンドが２つに分離されると共に開封後においても、ＴＥバンドが、その状態で前記破断不能のブリッジによって脱落することなく蓋部と接続されているため、開封済みであることを認識しやすいという利点がある。
【先行技術文献】
【特許文献】
【０００４】
【特許文献１】特開２００４−１４９１５６号公報
【発明の概要】
【発明が解決しようとする課題】
【０００５】
しかしながら、従来の合成樹脂製キャップにおいては、前記破断不能なブリッジによって、上記利点を奏する反面、ＴＥバンドが外方に拡がることを規制する要因となってしまう。通常、容器口部及びＴＥバンドには、開封時に前記破断可能なブリッジや前記スリットの弱化部を破断するために突起部とラチェットが凸設されているため、ＴＥバンドが外方に拡がることを規制してしまうと、当該キャップを容器口部に装着する際にＴＥバンドに掛る力が上手く逃がすことができなくなり、前記破断可能なブリッジや前記スリットの弱化部に無理な力が掛ってしまう。
【０００６】
そのため、合成樹脂製キャップが容器口部に装着される際に前記破断可能なブリッジや前記スリットの弱化部が破断される可能性が高くなるという問題がある。前記破断不能なブリッジの全長を長くし、撓み代をつくることで当該問題が解決する様にも考えられるが。そうすると、今度は開封時に当該ブリッジが、前記破断可能なブリッジや前記スリットの弱化部が破断される前に伸びてしまい、当該破断が不完全となる可能性が高くなってしまう。そのため、開封の有無の識別が困難となる可能性がある。
【０００７】
そこで、本発明は、開封時に屈曲スリットを接続する弱化部や、蓋部及びＴＥバンドを接続する破断可能なスリットの破断が良好であると共に開封前に該弱化部や該スリットの破断することを防止可能な合成樹脂製キャップを提供することを目的とする。
【課題を解決するための手段】
【０００８】
本発明は、蓋部と、屈曲スリットを有するタンバーエビデントバンドとを備え、該蓋部と該タンバーエビデントバンドとがワイドブリッジにより連結された合成樹脂製キャップであって、該屈曲スリットは、その蓋部側端に連続する閉方向側屈曲部とその両縁間に延びる弱化部とを有すると共にその少なくとも一端が開放端となっており、該ワイドブリッジは、括れ部を有すると共に該閉方向側屈曲部上方に形成されていることを特徴とする合成樹脂製キャップである。
【０００９】
又、本発明は、前記合成樹脂製キャップは、前記ワイドブリッジの破断防止部を更に備えており、該破断防止部は、前記蓋部と連続する係合凸起と、前記タンバーエビデントバンドと連続する係止凸起とを有することもできる。又、前記括れ部は、前記ワイドブリッジの中央部に形成することもでき、その外面は内に凸の弧面にすることもできる。
【００１０】
尚、本発明において、開方向及び閉方向は、蓋部の回動方向によって定めるものとし、該蓋部が開く方向が開方向であり、逆に該蓋部が閉まる方向が閉方向である。又、上下方向は、蓋部を上にタンバーエビデントバンドを下にした状態で定めるものとする。
【発明の効果】
【００１１】
本発明は、ワイドブリッジが括れ部を有しているため、合成樹脂キャップが容器口部に装着される際に、タンバーエビデントバンドが外方に拡がることがある程度許容されると共に屈曲スリットの一端が開放端となっており、屈曲スリットの部分でもタンバーエビデントバンドが外方に拡がることがある程度許容されているため、開封時に屈曲スリットを接続する弱化部や、蓋部及びＴＥバンドを接続する破断可能なスリットの破断が良好であると共に開封前に該弱化部や該スリットの破断することを防止可能な合成樹脂製キャップを提供することができる。
【図面の簡単な説明】
【００１２】
【図１】本発明の実施形態を示す正面図である。
【図２】本発明の実施形態を示す斜視図である。
【図３】本発明の実施形態を示す図であり、屈曲スリット周辺の要部拡大図である。
【図４】本発明の実施形態を示す線図であり、平面図に相当する図である。
【図５】図４のｖ−ｖ線における断面図である。
【図６】図４のvi−vi線における要部拡大断面図である。
【図７】本発明の実施形態が装着されるスパウトの一例を示す縮小部分断面図である。
【発明を実施するための形態】
【００１３】
本発明の実施形態を図１乃至図７に基づいて説明する。合成樹脂製キャップ１（以下、キャップ１ともいう）は、蓋部２とタンバーエビデントバンド３（以下、ＴＥバンド３ともいう）を備える。
【００１４】
蓋部２とＴＥバンド３とは、蓋部２とＴＥバンド３間に設けられたワイドブリッジ４に及び破断ブリッジ５（図１乃至図３については図示を省略する）により連結されている。又、蓋部２とＴＥバンド３間には、蓋部２が閉方向に無理に回された際にワイドブリッジ４の破断することを防止する破断防止部６が設けられる。尚、破断ブリッジ５は、最初に蓋部２が開蓋（以下、単に開蓋ともいう）される際に破断可能に形成されたブリッジである。
【００１５】
蓋部２は、天壁２０と、天壁２０の外周縁より垂下するスカート壁２１を有している。
天壁２０の内面からは、インナーリング２２が垂設されている。スカート壁２１の外面にはローレット２３が形成されており、又、その内面には、天壁２０の近傍に位置する間欠的に形成されたリブ２４と、リブ２４よりの下方に形成された螺条２５が形成されている。インナーリング２２とリブ２４は、蓋部２が閉蓋された際にスパウト７の注出筒７０の内面及び外面を挟持する様に形成されている。
【００１６】
ＴＥバンド３には、その上端面から下端面に延在する屈曲スリット３０が形成されている。又、その内面にはラチェット３１が形成されている。ラチェット３１は、キャップ１が開方向に回動した場合は、ＴＥバンド３の回動を抑止し、逆にキャップ１は閉方向に回動した場合は、ＴＥバンド３の回動を許容する様に形成されている。
【００１７】
本実施形態において、ラチェット３１は、開方向側が斜面となっており、ＴＥバンド３が開方向に回動された際には、スパウト７の突起部７２に引っ掛るが、ＴＥバンド３が閉方向に回動した場合には、突起部７２を乗り越えて、ＴＥバンド３が、空転することを許容できる様に形成されている。
【００１８】
屈曲スリット３０は、上端３０ａと連続する閉方向屈曲部３０ｂと下端３０ｄと連続する開方向屈曲部３０ｃを有すると共に両縁部３０ｅ，３０ｆ間に延びる弱化部３２を有する。弱化部３２は、最初に開蓋される際に、破断し、屈曲スリット３０の部分でＴＥバンド３が分離する様に形成される。
【００１９】
又、屈曲スリット３０は、上端３０ａ又は下端３０ｄの何れか一方は、弱化部３２が形成されていない開放端となっている。本実施形態では、弱化部３２は、閉方向屈曲部３０ｂと開方向屈曲部３０ｃとの境界部及び下端３０ｄ近傍に形成されており、上端３０ａが開放端となっている。
【００２０】
ワイドブリッジ４は、開蓋の際に破断しない程度に幅及び厚みをもったブリッジである。ワイドブリッジ４は、閉方向屈曲部３０ｂの上方に位置する様に形成されると共に、ＴＥバンド３が外方に拡がることを許容する程度に可撓性をもつ括れ部４０を有している。
【００２１】
又、ワイドブリッジ４０の内面４０ａは垂直面として形成されることが好ましい。この様にすることでキャップ１を射出成形等の既存の手段によって成形する際にワイドブリッジ４が離型時の抵抗となることを防止することができ、この際にワイドブリッジ４が破断することを防止することができる。本実施形態において、括れ部４０は、ワイドブリッジ４の略中央部に形成されており、その内面４０ａは垂直面として、その外面４０ｂは内に凸の弧面（例えば、図６に示す様な凹曲面）として形成されている。
【００２２】
又、ワイドブリッジ４の長さは適宜選択可能であるが、開封時に破断ブリッジ５や弱化部３２が破断する前にワイドブリッジが延びてしまうことを防止するために、開封前の蓋部２とＴＥバンド３間の距離Ｌの１．５倍程度を限度として形成される。
【００２３】
破断防止部６は、ワイドブリッジ４の開方向側に形成され、係合凸起６０及び係止凸起６１を有する。係合凸起６０は、蓋部２のスカート壁２１の下端面と、係止凸起６１は、ＴＥバンド３の上端面と連続する様に形成されている。本実施形態においては、破断防止部６は、屈曲ブリッジ３０の開方向屈曲部３０ｃの上方に位置する様に形成されている。
【００２４】
係合凸起６０及び係止凸起６１は、蓋部２が閉方向に回動した際に互いに係り合う（係合）する様に形成される。本実施形態においては、係合凸起６０及び係止凸起６１は正面視略台形に形成され、係合凸起６０の閉方向側側面６０ａと係止凸起６１の開方向側側面６１ａは、互いに係合可能となる様に略垂直壁となっている。
【００２５】
キャップ１は、例えば、スパウト７や中栓（図示せず）に装着され使用される。スパウト７は注出筒７０を備えており、注出筒７０の側面には、蓋部２の螺条２５と螺合可能に形成された螺条７１及び突起部７２を有している。
【００２６】
キャップ１は、スパウト７に装着される際に、ラチェット３１が突起部７２を乗り越える様に装着されるが、その際、ワイドブリッジ４の括れ部４０が外方に撓み、ＴＥバンド３が外方に拡がることが許容される。又、屈曲スリット３０の上端３０ａが開放端となっているため、よりＴＥバンド３が外方に拡がることが許容される。そのため、当該装着際に、弱化部３２や破断ブリッジ５が破断することを防止することができる。
【００２７】
この際に、括れ部４０は、ワイドブリッジ４の略中央部に形成され、その外面４ｂが内に凸の弧面であることが好ましい。この様にすることで、よりＴＥバンド３の外方への拡がりを許容することが可能となり、より弱化部３２や破断ブリッジ５が破断することを防止することができる。
【００２８】
又、蓋部２を閉方向に無理に回動させてとしても、蓋部２は、係合凸起６０を介して係止凸起６１と係り合って止められる（係止される）と共に係止凸起６１が形成さえたＴＥバンド３はラチェット３１によって閉方向には空転する様になっているため、ワイドブリッジ４が破断することを防止できる様になっている。
【００２９】
そして、キャップ１は、最初に蓋部２を開方向に回動させる際に、破断ブリッジ５及び弱化部３２をワイドブリッジ５が延びる前に確実に破断することが可能であり、弱化部３２の破断後は、ＴＥバンド３が屈曲スリット３０の部分で分離され、容易には元の状態には戻らない様になっているため、開封の有無を容易に識別することができる。
【００３０】
本発明を上記実施形態によって説明したが、本発明は上記実施形態に限定されるものではなく、発明の要旨を変更しない範囲で適宜変更可能である。
【符号の説明】
【００３１】
１      合成樹脂製キャップ          ２      蓋部
２０    天壁                        ２１    スカート壁
２２    インナーリング              ２３    ローレット
２４    リブ                        ２５    螺条
３      タンバーエビデントバンド    ３０    屈曲スリット
３０ａ  上端                        ３０ｂ  閉方向屈曲部
３０ｃ  開方向屈曲部                ３０ｄ  下端
３０ｅ  縁部                        ３０ｆ  縁部
３１    ラチェット                  ３２    弱化部
４      ワイドブリッジ              ４ａ    内面
４ｂ    外面                        ４０    括れ部
５      破断ブリッジ                ６      破断防止部
６０    係合凸起                    ６０ａ  閉方向側側面
６１    係止凸起                    ６１ａ  開方向側側面
７      スパウト                    ７０    注出筒
７１    螺条                        ７２    突起部
Ｌ      距離
【図４】
2015051784.tif 000003
【図５】
2015051784.tif 000004
【図６】
2015051784.tif 000005
【図７】
2015051784.tif 000006
【図１】
2015051784.tif 000007
【図２】
2015051784.tif 000008
【図３】
2015051784.tif 000009